(57)【要約】【課題】  出口調査での情報収集の効率化を図るのみならず、投票率の向上にも貢献すること。【解決手段】  選挙情報を収集する収集サーバ及び移動通信端末装置それぞれと通信可能に構成された調査用端末装置において、選挙情報の入力を受け付け、入力された選挙情報を収集サーバへ送信し、選挙情報が正常である場合には移動通信端末装置へクーポンデータを送信する。【選択図】  図１
2009129274.tif 000002
【特許請求の範囲】
【請求項１】
選挙情報を収集する収集サーバ及び移動通信端末装置それぞれと通信可能に構成された調査用端末装置であって、
前記移動通信端末装置へクーポンデータを送信する第一通信手段と、
選挙情報の入力を受け付ける入力手段と、
前記入力手段を介して入力された選挙情報を、前記収集サーバへ送信する第二通信手段と、
前記入力手段を介して入力された選挙情報が正常であるか否か判断する判断手段と、を備え、
前記第一通信手段及び前記第二通信手段は、前記判断手段によって選挙情報が正常と判断された場合に、それぞれ送信を実行する調査用端末装置。
【請求項２】
前記第二通信手段は、前記選挙情報を送信した後に、前記収集サーバからクーポンデータを受信し、
前記第一通信手段は、前記第二通信手段によって受信されたクーポンデータを、前記移動通信端末装置へ送信する請求項１に記載の調査用端末装置。
【請求項３】
クーポンデータを記憶する記憶手段をさらに備え、
前記第一通信手段は、前記記憶手段に記憶されているクーポンデータを、前記移動通信端末装置へ送信する請求項１に記載の調査用端末装置。
【請求項４】
選挙情報を収集する収集サーバ及び移動通信端末装置それぞれと通信可能に構成された調査用端末装置であって、
前記移動通信端末装置へクーポンデータを送信する第一通信手段と、
選挙情報の入力を受け付ける入力手段と、
前記入力手段を介して入力された選挙情報を、前記収集サーバへ送信する第二通信手段と、を備え、
前記第一通信手段は、前記第二通信手段によって送信された選挙情報が前記収集サーバによって正常であると判断された場合に、前記クーポンデータを送信する調査用端末装置。
【請求項５】
前記第二通信手段は、前記選挙情報を送信した後に、前記収集サーバからクーポンデータを受信し、
前記第一通信手段は、前記第二通信手段によって受信されたクーポンデータを、前記移動通信端末装置へ送信する請求項４に記載の調査用端末装置。
【請求項６】
クーポンデータを記憶する記憶手段をさらに備え、
前記第一通信手段は、前記記憶手段に記憶されているクーポンデータを、前記移動通信端末装置へ送信する請求項４に記載の調査用端末装置。
【請求項７】
選挙情報を収集する収集サーバと通信可能に構成された移動通信端末装置であって、
選挙情報の入力を受け付ける入力手段と、
前記入力手段を介して入力された選挙情報を前記収集サーバへ送信し、前記収集サーバからクーポンデータを受信する通信手段と、を備え、
前記通信手段は、送信された選挙情報が前記収集サーバによって正常であると判断された場合に、前記クーポンデータを前記収集サーバから受信する移動通信端末装置。
【請求項８】
ユーザによって入力された選挙情報を送出する移動通信端末装置と通信可能に構成された収集サーバであって、
移動通信端末装置から選挙情報を受信する通信手段と、
前記通信手段によって受信された選挙情報が正常であるか否か判断する判断手段と、を備え、
前記通信手段は、前記判断手段によって選挙情報が正常と判断された場合に、その結果を前記移動通信端末装置に送信する収集サーバ。
【請求項９】
ユーザによって入力された選挙情報を送出する移動通信端末装置と通信可能に構成された収集サーバであって、
移動通信端末装置から選挙情報を受信する通信手段と、
前記通信手段によって受信された選挙情報が正常であるか否か判断する判断手段と、
クーポンデータを記憶する記憶手段を備え、
前記通信手段は、前記判断手段によって選挙情報が正常と判断された場合に、前記記憶手段に記憶されるクーポンデータを前記移動通信端末装置に送信する収集サーバ。
【請求項１０】
コンピュータを、
選挙情報を収集する収集サーバ及び移動通信端末装置それぞれと通信可能に構成された調査用端末装置であって、
前記移動通信端末装置へクーポンデータを送信する第一通信手段と、
選挙情報の入力を受け付ける入力手段と、
前記入力手段を介して入力された選挙情報を、前記収集サーバへ送信する第二通信手段と、
前記入力手段を介して入力された選挙情報が正常であるか否か判断する判断手段と、を備え、
前記第一通信手段及び前記第二通信手段は、前記判断手段によって選挙情報が正常と判断された場合に、それぞれ送信を実行する調査用端末装置、として機能させるためのコンピュータプログラム。
【請求項１１】
コンピュータを、
選挙情報を収集する収集サーバ及び移動通信端末装置それぞれと通信可能に構成された調査用端末装置であって、
前記移動通信端末装置へクーポンデータを送信する第一通信手段と、
選挙情報の入力を受け付ける入力手段と、
前記入力手段を介して入力された選挙情報を、前記収集サーバへ送信する第二通信手段と、を備え、
前記第一通信手段は、前記第二通信手段によって送信された選挙情報が前記収集サーバによって正常であると判断された場合に、前記クーポンデータを送信する調査用端末装置、として機能させるためのコンピュータプログラム。
【請求項１２】
コンピュータを、
選挙情報を収集する収集サーバと通信可能に構成された移動通信端末装置であって、
選挙情報の入力を受け付ける入力手段と、
前記入力手段を介して入力された選挙情報を前記収集サーバへ送信し、前記収集サーバからクーポンデータを受信する通信手段と、を備え、
前記通信手段は、送信された選挙情報が前記収集サーバによって正常であると判断された場合に、前記クーポンデータを前記収集サーバから受信する移動通信端末装置、として機能させるためのコンピュータプログラム。
【請求項１３】
コンピュータを、
ユーザによって入力された選挙情報を送出する移動通信端末装置と通信可能に構成された収集サーバであって、
移動通信端末装置から選挙情報を受信する通信手段と、
前記通信手段によって受信された選挙情報が正常であるか否か判断する判断手段と、を備え、
前記通信手段は、前記判断手段によって選挙情報が正常と判断された場合に、その結果を前記移動通信端末装置に送信する収集サーバ、として機能させるためのコンピュータプログラム。
【請求項１４】
コンピュータを、
ユーザによって入力された選挙情報を送出する移動通信端末装置と通信可能に構成された収集サーバであって、
移動通信端末装置から選挙情報を受信する通信手段と、
前記通信手段によって受信された選挙情報が正常であるか否か判断する判断手段と、
クーポンデータを記憶する記憶手段を備え、
前記通信手段は、前記判断手段によって選挙情報が正常と判断された場合に、前記記憶手段に記憶されるクーポンデータを前記移動通信端末装置に送信する収集サーバ、として機能させるためのコンピュータプログラム。
【発明の詳細な説明】
【技術分野】
【０００１】
本発明は、選挙の情報収集を効率化するための技術に関する。
【背景技術】
【０００２】
従来、選挙の情報収集は、出口調査という方法が採用されることが一般的であった。出口調査とは、各投票所の出口付近にて調査員が待機し、投票を終えて出てきた有権者から誰に投票したかを調査するものである。このような出口調査を効率化する技術として、特許文献１や特許文献２に記載されたような技術が提案されている。
【０００３】
特許文献１に開示されている技術は、選挙出口調査のアンケートをインターネットなど、通信ネットワークに接続できる携帯電話で直接入力する事により、ネットワーク上に接続されたコンピュータ装置で瞬時、且つ連続的に集計分析表示できる技術である。
【０００４】
特許文献２に開示されている技術は、集計センターサーバシステム１は例えば通信社、報道会社、新聞社における選挙投票動向の調査を行う集計センターに設置可能とされ、調査員はサーバシステム１から送信される各投票所においての出口調査の指示を端末システム２において受信するようにしている。調査員は指示情報に基づき、投票を終了した被調査対象に係る選挙人に対して調査を実施し、調査結果を端末システムに入力してサーバシステム１に対して送信するようとしている。この結果、サーバシステム１においては、各投票所における調査の進捗状況をリアルタイムで把握することができ、また進捗状況に基づいて具体的な指示情報を各調査員に送信・指示することが可能となる。
【特許文献１】特開２００３−０４４６２５号公報
【特許文献２】特開２００２−２８８３８２号公報
【発明の開示】
【発明が解決しようとする課題】
【０００５】
しかしながら、従来の出口調査に関し提案されてきた技術は、情報収集の手間を省くという観点からの効率化を目的としたものである。即ち、選挙の情報収集効率化の一環として、そもそも投票率そのものを向上させることにまで関与しようとする技術は提案されてこなかった。このため、従来の出口調査は、客観的な事実としての投票率の調査にとどまっており、投票率の向上という社会的貢献を果たすことは無かった。
【０００６】
そこで本発明は、出口調査での情報収集の効率化を図るのみならず、投票率の向上にも貢献することを可能とする技術を提案することを目的とする。
【課題を解決するための手段】
【０００７】
本発明の第一の態様は、選挙情報を収集する収集サーバ及び移動通信端末装置それぞれと通信可能に構成された調査用端末装置である。本発明の第一の態様における調査用端末装置は、第一通信手段、入力手段、第二通信手段及び判断手段を含む。第一通信手段は、移動通信端末装置へクーポンデータを送信する。クーポンデータとは、選挙情報を調査用端末装置に入力してくれた有権者に対して供与されるデータであり、有権者にとって選挙に足を向かわせるインセンティブを与えるものであればどのようなデータであっても良い。
【０００８】
入力手段は、選挙情報の入力を受け付ける。第二通信手段は、入力手段を介して入力された選挙情報を、収集サーバへ送信する。判断手段は、入力手段を介して入力された選挙情報が正常であるか否か判断する。また、第一通信手段及び第二通信手段は、判断手段によって選挙情報が正常と判断された場合に、それぞれ送信を実行する。
【０００９】
本発明の第一の態様によれば、出口調査における選挙情報は、調査用端末装置に入力された後に自動的に収集サーバに集積されるため、出口調査での情報収集の効率化を図ることが可能となる。さらに、調査用端末装置に選挙情報を入力した有権者が所有する移動通信端末装置に対し、クーポンデータが与えられるため、このクーポンデータに魅力を感じた有権者による投票率の向上が期待できる。
【００１０】
本発明の第二の態様は、選挙情報を収集する収集サーバ及び移動通信端末装置それぞれと通信可能に構成された調査用端末装置である。本発明の第二の態様における調査用端末装置は、第一通信手段、入力手段及び第二通信手段を含む。第一通信手段は、移動通信端末装置へクーポンデータを送信する。入力手段は、選挙情報の入力を受け付ける。第二通信手段は、入力手段を介して入力された選挙情報を、収集サーバへ送信する。第二の態様における第一通信手段は、第二通信手段によって送信された選挙情報が収集サーバによって正常であると判断された場合に、クーポンデータを送信する。
【００１１】
本発明の第二の態様によっても、出口調査における選挙情報は、調査用端末装置に入力された後に自動的に収集サーバに集積されるため、出口調査での情報収集の効率化を図ることが可能となる。さらに、調査用端末装置に選挙情報を入力した有権者が所有する移動通信端末装置に対し、クーポンデータが与えられるため、このクーポンデータに魅力を感じた有権者による投票率の向上が期待できる。
【００１２】
本発明の第一の態様及び第二の態様における第二通信手段は、選挙情報を送信した後に、収集サーバからクーポンデータを受信するように構成されても良い。この場合、第一通信手段は、第二通信手段によって受信されたクーポンデータを、移動通信端末装置へ送信するように構成される。
【００１３】
本発明の第一の態様及び第二の態様は、クーポンデータを記憶する記憶手段をさらに備えるように構成されても良い。この場合、第一通信手段は、記憶手段に記憶されているクーポンデータを、移動通信端末装置へ送信するように構成される。
【００１４】
本発明の第三の態様は、選挙情報を収集する収集サーバと通信可能に構成された移動通信端末装置である。本発明の第三の態様における移動通信端末装置は、入力手段及び通信手段を含む。入力手段は、選挙情報の入力を受け付ける。通信手段は、入力手段を介して入力された選挙情報を前記収集サーバへ送信し、収集サーバからクーポンデータを受信する。また、通信手段は、送信された選挙情報が収集サーバによって正常であると判断された場合に、クーポンデータを収集サーバから受信する。
【００１５】
本発明の第三の態様によれば、出口調査における選挙情報は、有権者が所有する移動通信端末装置に入力された後に自動的に収集サーバに集積されるため、出口調査での情報収集の効率化を図ることが可能となる。さらに、移動通信端末装置に選挙情報を入力した有権者が所有する移動通信端末装置に対し、クーポンデータが与えられるため、このクーポンデータに魅力を感じた有権者による投票率の向上が期待できる。
【００１６】
本発明の第四の態様は、ユーザによって入力された選挙情報を送出する移動通信端末装置と通信可能に構成された収集サーバである。本発明の第四の態様における収集サーバは、通信手段及び判断手段を含む。通信手段は、移動通信端末装置から選挙情報を受信する。判断手段は、通信手段によって受信された選挙情報が正常であるか否か判断する。また、通信手段は、判断手段によって選挙情報が正常と判断された場合に、その結果を移動通信端末装置に送信する。
【００１７】
本発明の第五の態様は、ユーザによって入力された選挙情報を送出する移動通信端末装置と通信可能に構成された収集サーバである。本発明の第五の態様における収集サーバは、通信手段、判断手段及び記憶手段を含む。通信手段は、移動通信端末装置から選挙情報を受信する。判断手段は、通信手段によって受信された選挙情報が正常であるか否か判断する。記憶手段は、クーポンデータを記憶する。また、通信手段は、判断手段によって選挙情報が正常と判断された場合に、記憶手段に記憶されるクーポンデータを移動通信端末装置に送信する。
【００１８】
本発明の第四の態様及び第五の態様によれば、出口調査における選挙情報は、有権者が所有する移動通信端末装置に入力された後に自動的に収集サーバに集積されるため、出口調査での情報収集の効率化を図ることが可能となる。さらに、移動通信端末装置に選挙情報を入力した有権者が所有する移動通信端末装置に対し、クーポンデータが与えられるため、このクーポンデータに魅力を感じた有権者による投票率の向上が期待できる。
【００１９】
なお、本発明の第四の態様及び第五の態様は、移動通信端末装置から受信した選挙情報を蓄積する選挙情報記憶手段をさらに含むように構成されても良い。
【００２０】
本発明は、上述した各装置を含む選挙情報収集システムとして特定されても良い。また、本発明は、情報処理装置を、上述した各装置として動作させるためのプログラムとして特定されても良い。また、本発明は、上述した各装置が実行する方法として特定されても良い。
【発明の効果】
【００２１】
本発明により、出口調査での情報収集の効率化を図るのみならず、投票率の向上にも貢献することが可能となる。
【発明を実施するための最良の形態】
【００２２】
［概論］
本発明による選挙情報収集システムは、有権者に対し「選挙に足を向かわせるインセンティブ」を与えるシステムである。特に、選挙情報収集システムは、ＩＴ（Information Technology）を用いることで選挙情報の収集処理やその後の情報加工処理等における効率化を図る。また、ＩＴと直接的には関連しないとしても、広告などのビジネスモデルによって上記インセンティブを与えることも可能である。例えば、各有権者に送付される投票用紙引換券の表面や裏面に広告を印刷したり、広告用紙を添付したりすることで、選挙管理委員会において広告収入を得ることが可能となる。そして、その広告収入をもって、投票用紙引換券の送付費用や印刷費用などを賄うことが可能となる。さらには、この広告に参加する企業によって、後述するクーポンデータが提供されることにより、インセンティブと広告費用との相乗効果が期待できる。
【００２３】
選挙情報収集システムでは、民間の活力を選挙に導入することにより、低迷する投票率を上げることが可能となる。すなわち、選挙情報収集システムは、「官民のコラボレーションにより投票率を向上させること」及び「官民のコラボレーションにより投票所出口調査と分析データ配信の精度を向上させること」を連動させることにより、相乗的に目的を達成させる。
【００２４】
［第一実施形態］
〔システム構成〕
図１は、本発明の第一実施形態としての選挙情報収集システム１００ａの構成例を示す図である。選挙情報収集システム１００ａは、複数の移動通信端末装置１０ａ、複数の調査用端末装置２０ａ、及び収集サーバ３０ａを含む。移動通信端末装置１０ａと調査用端末装置２０ａとは、ネットワークを介して通信を行うことができる。また、調査用端末装置２０ａと収集サーバ３０ａとは、ネットワークを介して通信を行うことができる。各装置は、有線や無線など、どのような手段を用いてネットワークに接続されても良い。また、ネットワークとは、専用線等の非ＩＰネットワークであっても良いし、インターネット等のＩＰネットワークであっても良い。なお、図１を用いた本説明において、収集サーバ３０ａは選挙情報収集システム１００ａに一台設置されているが、一つの選挙情報収集システム１００ａに収集サーバ３０ａが複数台設置されても良い。
【００２５】
〔装置構成〕
以下、図１を用いて、本発明における選挙情報収集システム１００ａに含まれる各装置の構成について説明する。
【００２６】
〈移動通信端末装置〉
図２は、移動通信端末装置１０ａの構成例を示す図である。移動通信端末装置１０ａは、通信可能且つ携帯可能な情報処理装置を用いて構成される。即ち、移動通信端末装置１０ａは、バスを介して接続された記憶装置、演算装置、入出力装置、通信装置を含む。そして、移動通信端末装置１０ａは、記憶装置に記憶されたプログラムを演算装置において処理することによってプログラムに従って動作する。具体的には、移動通信端末装置１０ａは、携帯電話機やＰＤＡ（Personal Digital Assistance）やスマートフォンや携帯型パーソナルコンピュータ等の情報処理装置を用いて構成することができる。
【００２７】
移動通信端末装置１０ａは、通信部１１及び記憶部１２を含む。次に、端末装置１０ａに含まれる各機能部について説明する。
【００２８】
〈〈通信部〉〉
通信部１１は、調査用端末装置２０ａと通信を行う。通信部１１には、調査用端末装置２０ａと通信可能であれば、どのような通信技術が適用されても良い。例えば、通信部１１は、専用ケーブルやＵＳＢ（Universal Serial Bus）ケーブルを用いた有線通信により実装されても良い。また、例えば、通信部１１は、赤外線通信やＲＦＩＤ（Radio Frequency IDntification）やブルートゥース（Bluetooth）等の技術を用いた無線通信により実装されても良い。
【００２９】
〈〈記憶部〉〉
記憶部１２は、調査用端末装置２０ａから通信部１１を介して受信されるデータを記憶する。特に、記憶部１２は、調査用端末装置２０ａから受信されるクーポンデータを記憶する。
【００３０】
クーポンデータとは、出口調査に応じたユーザであって移動通信端末装置１０ａの所有者に提供されるデータである。クーポンデータは、有権者にとって、選挙に足を向かわせるインセンティブを与えるものであれば、どのようなデータであっても良い。例えば、クーポンデータは、所定の店舗において使用可能な金券としてのデータ（電子データなど）であっても良い。また、クーポンデータは、所定の商品と引き換え可能な引換券としてのデータであっても良い。また、クーポンデータは、静止画像データや動画像データや音声データであっても良い。また、クーポンデータは、所定のデータに対するアクセスを可能とするＩＤやパスワードを表すデータであっても良い。また、クーポンデータは、文書データであっても良い。
【００３１】
記憶部１２は、どのような記憶装置を用いて実現されても良い。例えば、記憶部１２は、ハードディスクや半導体メモリのような書き込み可能な不揮発性記憶装置を用いて実現されても良いし、書き込み可能な揮発性記憶装置を用いて構成されても良い。ただし、揮発性記憶装置を用いて構成された場合、移動通信端末装置１０ａの電源が切られた際にクーポンデータが消去されても良いようなクーポンデータとする必要がある。
【００３２】
〈〈その他の機能部〉〉
移動通信端末装置１０ａは、クーポンデータの内容に応じて、これを行使するための機能部をさらに含む。クーポンデータが電子データのように、行使する際に店舗端末装置などと通信を行う必要がある場合、移動通信端末装置１０ａは、これらの店舗端末装置と通信を行うための他の通信部をさらに含む。この他の通信部には、上述した店舗端末装置と通信可能であれば、どのような通信技術が適用されても良い。なお、この他の通信部は、通信部１１と同一の装置を用いて構成されても良い。
【００３３】
また、クーポンデータが、店舗において表示させることが必要な引換券としてのデータである場合や、静止画像データや動画像データである場合、移動通信端末装置１０ａは、クーポンデータを表示するための表示装置及び画像表示制御部をさらに含む。表示装置は、例えばＣＲＴ（Cathode Ray Tube）ディスプレイや液晶ディスプレイや有機ＥＬ（Organic Electroluminescence）ディスプレイ等を用いて構成できる。画像表示制御部は、ディスプレイドライバやグラフィックボード等を用いて構成できる。また、クーポンデータが音声を含むデータである場合は、移動通信端末装置１０ａは、この音声を再生するための音声出力装置及び音声出力制御部をさらに含む。音声出力装置はスピーカ等を用いて構成でき、音声出力制御部はサウンドボード等を用いて構成できる。
【００３４】
また、クーポンデータが、所定のデータに対するアクセスを可能とするＩＤやパスワードを表すデータである場合、移動通信端末装置１０ａは、このアクセスする対象となるデータを実行するための機能部をさらに含む。対象となるデータがＷＥＢデータである場合は、移動通信端末装置１０ａは、ＷＥＢブラウザ機能部及びＷＥＢデータにアクセスするための他の通信部をさらに含めばよい。
【００３５】
〈調査用端末装置〉
図３は、調査用端末装置２０ａの構成例を示す図である。調査用端末装置２０ａは、通信可能な情報処理装置を用いて構成される。即ち、調査用端末装置２０ａは、バスを介して接続された記憶装置、演算装置、入出力装置、通信装置を含む。そして、調査用端末装置２０ａは、記憶装置に記憶されたプログラムを演算装置において処理することによってプログラムに従って動作する。具体的には、調査用端末装置２０ａは、パーソナルコンピュータ等の汎用の情報処理装置や、専用装置を用いて構成することができる。
【００３６】
調査用端末装置２０ａは、第一通信部２１、記憶部２２、第二通信部２３、入力部２４、出力部２５及び制御部２６を含む。次に、調査用端末装置２０ａに含まれる各機能部について説明する。
【００３７】
〈〈第一通信部〉〉
第一通信部２１は、制御部２６の指示に従って移動通信端末装置１０ａと通信を行う。第一通信部２１には、移動通信端末装置１０ａと通信可能であれば、どのような通信技術が適用されても良い。例えば、第一通信部２１は、専用ケーブルやＵＳＢ（Universal Serial Bus）ケーブルを用いた有線通信により実装されても良い。また、例えば、第一通信部２１は、赤外線通信やＲＦＩＤ（Radio Frequency IDntification）やブルートゥース（Bluetooth）等の技術を用いた無線通信により実装されても良い。
【００３８】
〈〈記憶部〉〉
記憶部２２は、第一通信部２１を介して移動通信端末１０ａへ送信されるクーポンデータを記憶する。記憶部２２は、どのような記憶装置を用いて実現されても良い。例えば、記憶部２２は、ハードディスクや半導体メモリのような書き込み可能な不揮発性記憶装置を用いて実現されても良いし、書き込み可能な揮発性記憶装置を用いて構成されても良い。
【００３９】
なお、揮発性記憶装置を用いて構成された場合、調査用端末装置２０ａが起動される度に、他の装置（例えば収集サーバ３０ａ）から調査用端末装置２０ａへクーポンデータが送信される必要がある。そして、送信されてきたクーポンデータは、揮発性記憶装置を用いて構成された記憶部２２によって記憶される。
【００４０】
〈〈第二通信部〉〉
第二通信部２３は、制御部２６の指示に従って収集サーバ３０ａと通信を行う。第二通信部２３には、収集サーバ３０ａと通信可能であれば、どのような通信技術が適用されても良い。例えば、第二通信部２３は、インターネットや専用線などの回線を介して収集サーバ３０ａと通信可能に接続されても良い。第二通信部２３は、入力部２４を介して入力される選挙情報を、収集サーバ３０ａへ送信する。
【００４１】
〈〈入力部〉〉
入力部２４は、選挙情報を入力するための機能部である。入力部２４は、調査用端末装置２０ａに接続された入力装置から、入力信号を受け付ける。入力装置は、例えばキーボードやポインティングデバイス（例えばマウス）やタッチパネル装置やテンキー等を用いて構成される。
【００４２】
〈〈出力部〉〉
出力部２５は、調査用端末装置２０ａに接続された画像出力装置に対し、文字や画像の出力や画面の遷移を指示する。画像出力装置は、出力部２５からの指示に応じて文字や画像を表示する装置である。画像出力装置は、例えばＣＲＴ（Cathode Ray Tube）ディスプレイや液晶ディスプレイや有機ＥＬ（Organic Electroluminescence）ディスプレイ等を用いて構成できる。画像出力装置は、調査用端末装置２０ａに一体的に設けられても良い。
【００４３】
出力部２５は、選挙を終えてきた有権者に対し出口調査を行うための表示を行う。例えば、候補者名とそれに応じた政党名や、現在の日時や投票地などを表示することにより、有権者による選挙情報の入力を促す。
【００４４】
〈〈制御部〉〉
制御部２６は、クーポンデータの送出及び選挙情報の送出を制御する。制御部２６は、入力部２４を介して入力された選挙情報を正常な情報であるか判断する。例えば、候補者名が誤っている場合や、政党名が誤っている場合や、選択可能数を超えて候補者・政党が選択された場合や、選択された数が少なすぎる場合などには、出力部２５を介してエラーを出力させる。一方、入力された選挙情報が正常である場合、制御部２６は、第一通信部２１に対し、クーポンデータを送出することを指示する。この場合、制御部２６はさらに、第二通信部２３に対し、選挙データを送出することを指示する。
【００４５】
〈収集サーバ〉
図４は、収集サーバ３０ａの構成例を示す図である。収集サーバ３０ａは、通信可能な情報処理装置を用いて構成される。即ち、収集サーバ３０ａは、バスを介して接続された記憶装置、演算装置、入出力装置、通信装置を含む。そして、収集サーバ３０ａは、記憶装置に記憶されたプログラムを演算装置において処理することによってプログラムに従って動作する。具体的には、収集サーバ３０ａは、パーソナルコンピュータやサーバやワークステーション等の汎用の情報処理装置や、専用装置を用いて構成することができる。
【００４６】
収集サーバ３０ａは、通信部３１及び記憶部３２を含む。次に、収集サーバ３０ａに含まれる各機能部について説明する。
【００４７】
〈〈通信部〉〉
通信部３１は、調査用端末装置２０ａと通信を行う。通信部３１には、調査用端末装置２０ａと通信可能であれば、どのような通信技術が適用されても良い。例えば、通信部３１は、インターネットや専用線などの回線を介して調査用端末装置２０ａと通信可能に接続されても良い。通信部３１は、調査用端末装置２０ａから送出される選挙情報を受信し、記憶部３２へ渡す。
【００４８】
〈〈記憶部〉〉
記憶部３２は、通信部３１を介して調査用端末装置２０ａから受信される選挙情報を記憶する。記憶部３２は、どのような記憶装置を用いて実現されても良い。例えば、記憶部３２は、ハードディスクや半導体メモリのような書き込み可能な不揮発性記憶装置を用いて実現されても良い。
【００４９】
〔動作例〕
図５は、選挙情報収集システム１００ａの動作例を示すフローチャートである。選挙情報収集システム１００ａの動作例について説明する。まず、各投票所に調査用端末装置２０ａが設置される。有権者は、投票を終えて投票所を出ると、調査用端末装置２０ａの入力部２４を操作し、選挙情報（例えば、どの候補者に投票したか、どの政党に投票したか等の情報）を入力する（Ｓ０１）。制御部２６は、入力された選挙情報が正常であるか否か判断する（Ｓ０２）。入力された選挙情報が正常である場合（Ｓ０３−ＹＥＳ）、制御部２６は、第一通信部２１及び第二通信部２３に対しデータの送出を指示する。入力された選挙情報は、第二通信部２３を介して収集サーバ３０ａへ送信される（Ｓ０４）。収集サーバ３０ａの通信部３１は、調査用端末装置２０ａから選挙情報を受信する（Ｓ０５）。受信された選挙情報は、収集サーバ３０ａの記憶部３２に蓄積される（Ｓ０６）。
【００５０】
また、入力選挙情報が正常である場合、制御部２６は、記憶部２２に記憶されたクーポンデータを移動通信端末装置１０ａへ送信することも指示する（Ｓ０７）。移動通信端末装置１０ａの通信部１１は、調査用端末装置２０ａからクーポンデータを受信する（Ｓ０８）。受信されたクーポンデータは、移動通信端末装置１０ａの記憶部１２に記憶される（Ｓ０９）。
【００５１】
一方、入力された選挙情報が正常ではない場合（Ｓ０３−ＮＯ）、制御部２６は出力部２５にエラー出力を指示する。そして、出力部２５は、指示されたエラー出力を行う（Ｓ１０）。この後、さらに移動通信端末装置１０ａのユーザに対し、ユーザ登録するか否かを選択させ、ユーザ登録を受け付けるように構成されても良い。このようにして登録されたユーザからは、既に入力されている選挙情報とは切り離して、改めて個人情報を取得することができる。そして、登録されたユーザから、その後もアンケートなどへの協力を得ることが可能となる。
【００５２】
〔適用例〕
選挙情報収集システム１００ａの適用例について説明する。まず、国や地方自治体より、選挙公示が行われる。これにより、投票日が確定する。次に、スポンサー広告が開始される。スポンサー広告においては、例えば「投票所へ来られ出口調査、アンケートにご協力いただくと、コンビニエンスストア（投票所の付近の地元店）、投票所の付近の地元商店会での買い物引き換えクーポン券をプレゼントします」との内容が提示される。このような広告により、有権者に対し投票へのインセンティブが与えられる。なお、このクーポン券は、選挙情報収集システム１００ａに対するスポンサーから提供されることが望ましい。
【００５３】
選挙当日は、各投票所に、選挙情報収集システム１００ａの調査用端末装置２０ａが配置される。投票を終えて出てきた有権者に対し、調査用端末装置２０ａによる選挙情報の入力を促す。このとき、「選挙情報の入力にご協力頂いた方には、クーポンデータを提供いたします」などの言葉が有権者に対しかけられても良いし、会場内・会場付近にポスターなどが貼られていても良い。そして、上述したような選挙情報収集システム１００ａの動作により、出口調査に協力を行った有権者の有する移動通信端末装置１０ａに対し、クーポンデータが付与される。なお、移動通信端末装置１０ａを有していない有権者がいた場合は、クーポンデータの内容に相当する金券やプリペイドカードや商品などを付与しても良い。
【００５４】
このようにして収集サーバ３０ａに蓄積された選挙情報は、例えば報道メディア等に対し有料で提供されても良い。また、将来の候補者に対し、有料で提供されても良い。
【００５５】
〔変形例〕
調査用端末装置２０ａは、記憶部２２を備えないように構成されても良い。この場合、収集サーバ３０ａは不図示の記憶部をさらに備えるように構成される。そして、収集サーバ３０ａの記憶部は、クーポンデータを記憶する。このような構成では、通信部３１は、調査用端末装置２０ａから選挙情報を受信すると、この調査用端末装置２０ａに対しクーポンデータを送信する。そして、調査用端末装置２０ａの第二通信部２３はクーポンデータを受信し、第一通信部２１はこのクーポンデータを移動通信端末装置１０ａへ送信する。
【００５６】
収集サーバ３０ａは、選挙情報が正常な情報であるか否か判断する判断部をさらに備えるように構成されても良い。この場合、調査用端末装置２０ａの制御部２６は、選挙情報が正常な情報であるか否か判断する必要は無い。制御部２６は、入力された選挙情報を、その正否に関わらず収集サーバ３０ａへ送信するように第二通信部２３を制御する。収集サーバ３０ａの判断部は、受信された選挙情報が正常であるか否か判断し、通信部３１はその結果を調査用端末装置２０ａへ送信する。制御部２６は、受信された判断結果が、選挙情報が正常であったことを示すものである場合、クーポンデータを送信するように第一通信部２１を制御する。
【００５７】
また、上述した二つの変形例を組み合わせて構成しても良い。即ち、調査用端末装置２０ａは、記憶部２２を備えないように構成され、収集サーバ３０ａは、クーポンデータを記憶する記憶部及び選挙情報が正常な情報であるか否か判断する判断部をさらに備えるように構成されても良い。このような構成では、この場合、調査用端末装置２０ａの制御部２６は、選挙情報が正常な情報であるか否か判断する必要は無い。制御部２６は、入力された選挙情報を、その正否に関わらず収集サーバ３０ａへ送信するように第二通信部２３を制御する。収集サーバ３０ａの判断部は、受信された選挙情報が正常であるか否か判断し、通信部３１はその結果を調査用端末装置２０ａへ送信する。このとき、選挙情報が正常である場合には、通信部３１は調査用端末装置２０ａへクーポンデータを送信する。そして、調査用端末装置２０ａの第二通信部２３はクーポンデータを受信し、第一通信部２１はこのクーポンデータを移動通信端末装置１０ａへ送信する。
【００５８】
移動通信端末装置１０ａは、情報処理装置ではなく、通信部及び記憶部を備えた携行品であっても良い。例えば、ＲＦＩＤタグ及び記憶装置を有するカードであっても良い。また、このようなカードと同等の機能を有するチップを有する携行品（携帯電話機などの装置）であっても良い。
【００５９】
また、調査用端末装置２０ａにおける入力装置と画像出力装置とは一体の装置を用いて構成されても良い。例えば、タッチパネルを用いて構成することが可能である。
【００６０】
調査用端末装置２０ａは、移動通信端末装置１０ａに対し、クーポンデータそのものを送信するのではなく、クーポンデータを受信するために必要となるウェブサイトのＵＲＬやメールアドレスを送信するように構成されても良い。この場合、以下のような処理の実行によりクーポンデータが取得される。ウェブサイトのＵＲＬである場合、移動通信端末装置１０ａは、このウェブサイトのＵＲＬにアクセスすることにより、このウェブサイトを介してクーポンデータを取得することができる。また、メールアドレスである場合、移動通信端末装置１０ａは、このメールアドレスに対しメールを送信し、自身のメールアドレスを不図示のクーポンデータサーバに通知する。そして、クーポンデータサーバから、通知した移動通信端末装置１０ａのメールアドレスに対し、クーポンデータが添付されたメールが送信される。そして、このメールを受信することにより、移動通信端末装置１０ａはクーポンデータを取得することができる。なお、このＵＲＬやメールアドレスは、第一通信部による処理ではなく、文字列やバーコードの画像として画像出力装置上に出力されても良い。
【００６１】
［第二実施形態］
〔システム構成〕
図６は、本発明の第二実施形態としての選挙情報収集システム１００ｂの構成例を示す図である。選挙情報収集システム１００ｂは、複数の移動通信端末装置１０ｂ及び収集サーバ３０ｂを含む。移動通信端末装置１０ｂと収集サーバ３０ｂとは、有線又は無線にて通信を行うことができる。なお、図６を用いた本説明において、収集サーバ３０ｂは選挙情報収集システム１００ｂに一台設置されているが、一つの選挙情報収集システム１００ｂに収集サーバ３０ｂが複数台設置されても良い。
【００６２】
〔装置構成〕
以下、本発明における選挙情報収集システム１００ｂに含まれる各装置の構成について説明する。
【００６３】
〈移動通信端末装置〉
図７は、移動通信端末装置１０ｂの構成例を示す図である。移動通信端末装置１０ｂは、通信可能且つ携帯可能な情報処理装置を用いて構成される。即ち、移動通信端末装置１０ｂは、バスを介して接続された記憶装置、演算装置、入出力装置、通信装置を含む。そして、移動通信端末装置１０ｂは、記憶装置に記憶されたプログラムを演算装置において処理することによってプログラムに従って動作する。具体的には、移動通信端末装置１０ｂは、携帯電話機やＰＤＡ（Personal Digital Assistance）やスマートフォンや携帯型パーソナルコンピュータ等の情報処理装置を用いて構成することができる。
【００６４】
移動通信端末装置１０ｂは、通信部１３、記憶部１４、入力部１５、出力部１６及び制御部１７を含む。次に、端末装置１０ｂに含まれる各機能部について説明する。
【００６５】
〈〈通信部〉〉
通信部１３は、収集サーバ３０ｂと通信を行う。通信部１３には、収集サーバ３０ｂと通信可能であれば、どのような通信技術が適用されても良い。例えば、通信部１３は、インターネットや専用線などの回線を介して収集サーバ３０ｂと通信可能に接続されても良い。通信部１３は、収集サーバ３０ｂから出口調査用データを受信し、制御部１７へ渡す。また、通信部１３は、入力部１５を介して入力される選挙情報を、収集サーバ３０ｂへ送信する。また、通信部１３は、収集サーバ３０ｂから送出されるクーポンデータを受信し、記憶部１４へ渡す。
【００６６】
〈〈記憶部〉〉
記憶部１４は、収集サーバ３０ｂから通信部１３を介して受信されるデータを記憶する。特に、記憶部１４は、収集サーバ３０ｂから受信されるクーポンデータを記憶する。クーポンデータの内容は、上述した第一実施形態の場合と同様であるため説明を省く。
【００６７】
記憶部１４は、どのような記憶装置を用いて実現されても良い。例えば、記憶部１４は、ハードディスクや半導体メモリのような書き込み可能な不揮発性記憶装置を用いて実現されても良いし、書き込み可能な揮発性記憶装置を用いて構成されても良い。ただし、揮発性記憶装置を用いて構成された場合、移動通信端末装置１０ｂの電源が切られた際にクーポンデータが消去されても良いようなクーポンデータとする必要がある。
【００６８】
〈〈入力部〉〉
入力部１５は、選挙情報を入力するための機能部である。入力部１５は、移動通信端末装置１０ｂに接続された入力装置から、入力信号を受け付ける。入力装置は、例えばキーボードやポインティングデバイス（例えばマウス）やタッチパネル装置やテンキー等を用いて構成される。入力装置は、移動通信端末装置１０ｂに一体的に設けられても良い。例えば、移動通信端末装置１０ｂが携帯電話機である場合には、入力装置であるボタンは一体的に設けられている。
【００６９】
〈〈出力部〉〉
出力部１６は、移動通信端末装置１０ｂに接続された画像出力装置に対し、文字や画像の出力や画面の遷移を指示する。画像出力装置は、出力部１６からの指示に応じて文字や画像を表示する装置である。画像出力装置は、例えばＣＲＴディスプレイや液晶ディスプレイや有機ＥＬディスプレイ等を用いて構成できる。画像出力装置は、移動通信端末装置１０ｂに一体的に設けられても良い。
【００７０】
出力部２５は、選挙を終えてきた有権者に対し出口調査を行うための表示を行う。例えば、候補者名とそれに応じた政党名や、現在の日時や投票地などを表示することにより、有権者による選挙情報の入力を促す。このような表示は、収集サーバ３０ｂから受信される出口調査用データに基づいて表示される。
【００７１】
〈〈制御部〉〉
制御部１７は、出口調査用データの受信、表示、クーポンデータの受信及び選挙情報の送出を制御する。制御部１７は、通信部１３を介して、収集サーバ３０ｂから出口調査用データを受信し、このデータに基づいた表示を出力部１６へ指示する。なお、この出口調査用データは、選挙前などに予め受信されて記憶されていても良い。
【００７２】
制御部１７は、例えばウェブブラウザを用いて構成することもできる。収集サーバ３０ｂから、出口調査を行うためのウェブサイトのデータを受信し、このデータに基づいて制御部１７が動作しても良い。
【００７３】
〈〈その他の機能部〉〉
移動通信端末装置１０ｂは、移動通信端末装置１０ａと同様に、クーポンデータの内容に応じて、これを行使するための機能部をさらに含む。この機能部は、移動通信端末装置１０ａと同様であるため、説明を省く。
【００７４】
〈収集サーバ〉
図８は、収集サーバ３０ｂの構成例を示す図である。収集サーバ３０ｂは、通信可能な情報処理装置を用いて構成される。即ち、収集サーバ３０ｂは、バスを介して接続された記憶装置、演算装置、入出力装置、通信装置を含む。そして、収集サーバ３０ｂは、記憶装置に記憶されたプログラムを演算装置において処理することによってプログラムに従って動作する。具体的には、収集サーバ３０ｂは、パーソナルコンピュータやサーバやワークステーション等の汎用の情報処理装置や、専用装置を用いて構成することができる。
【００７５】
収集サーバ３０ｂは、通信部３３、記憶部３４及び制御部３５を含む。次に、収集サーバ３０ｂに含まれる各機能部について説明する。
【００７６】
〈〈通信部〉〉
通信部３３は、移動通信端末装置１０ｂと通信を行う。通信部３３には、移動通信端末装置１０ｂと通信可能であれば、どのような通信技術が適用されても良い。例えば、通信部３３は、インターネットや専用線などの回線を介して移動通信端末装置１０ｂと通信可能に接続されても良い。通信部３３は、移動通信端末装置１０ｂに対し、出口調査用データやクーポンデータを送信し、選挙情報を受信する。
【００７７】
〈〈記憶部〉〉
記憶部３４は、通信部３３を介して移動通信端末装置１０ｂから受信される選挙情報を記憶する。また、記憶部３４は、クーポンデータを予め記憶している。記憶部３４は、どのような記憶装置を用いて実現されても良い。例えば、記憶部３４は、ハードディスクや半導体メモリのような書き込み可能な不揮発性記憶装置を用いて実現されても良い。
【００７８】
〈〈制御部〉〉
制御部３５は、移動通信端末装置１０ｂから受信された選挙情報を正常な情報であるか判断する。例えば、候補者名が誤っている場合や、政党名が誤っている場合や、選択可能数を超えて候補者・政党が選択された場合や、選択された数が少なすぎる場合などには、通信部３３を介してエラーを移動通信端末装置１０ｂへ送信する。一方、受信された選挙情報が正常である場合、制御部３５は、通信部３３に対し、選挙情報の送信元である移動通信端末装置１０ｂに対しクーポンデータを送出することを指示する。
【００７９】
〔動作例〕
図９及び図１０は、選挙情報収集システム１００ｂの動作例を示すフローチャートである。選挙情報収集システム１００ｂの動作例について説明する。有権者は、投票を終えて投票所を出ると、自身の所有する移動通信端末装置１０ｂを操作し、出口調査を行うための表示（出口調査用画面の表示）を行うことを指示する（Ｓ２０）。この指示を受けた移動通信端末装置１０ｂの制御部１７は、収集サーバに対し出口調査用データの送信を依頼する（Ｓ２１）。この依頼を受けた収集サーバ３０ｂは、移動通信端末装置１０ｂに対し、出口調査用データを送信する（Ｓ２２）。移動通信端末装置１０ｂは、出口調査用データを収集サーバ３０ｂから受信する（Ｓ２３）。このとき、既に出口調査用データの受信が完了している場合は、この処理は不要となる。
【００８０】
次に、制御部１７は、出口調査用データに基づいて、出口調査用画面を、出力部１６を介して表示する（Ｓ２４）。有権者は、入力部１５を介して、選挙情報を入力する（Ｓ２５）。制御部１７は、入力された選挙情報を、通信部１３を介して収集サーバ３０ｂへ送信する（Ｓ２６）。
【００８１】
収集サーバ３０ｂの通信部３３は、移動通信端末装置１０ｂから選挙情報を受信すると（Ｓ２７）、受信された選挙情報を制御部３５へ渡す。制御部３５は、受信された選挙情報が正常であるか否か判断する（Ｓ２８）。受信された選挙情報が正常である場合（Ｓ２９−ＹＥＳ）、制御部３５は、記憶部３４にこの選挙情報を書き込む（Ｓ３０）とともに、記憶部３４からクーポンデータを読み出す。そして、制御部３５は通信部３３に対しクーポンデータの送出を指示し、通信部３３はクーポンデータを送信する（Ｓ３１）。一方、受信された選挙情報が正常でない場合（Ｓ２９−ＮＯ）、制御部３５は、通信部３３に対しエラーデータの送出を指示し、通信部３３はエラーデータを送信する（Ｓ３２）。
【００８２】
移動通信端末装置１０ｂの通信部１３は、収集サーバ３０ｂからデータを受信する（Ｓ３３）。受信されたデータがクーポンデータである場合（Ｓ３４−クーポン）、制御部１７はこれを記憶部１４に書き込む（Ｓ３５）。一方、受信されたデータがエラーデータである場合（Ｓ３４−エラー）、制御部１７はこれを出力部１６を介して出力する（Ｓ３６）。
【００８３】
〔適用例〕
選挙情報収集システム１００ｂは、選挙情報収集システム１００ａと同様であるため説明を省略する。
【図面の簡単な説明】
【００８４】
【図１】本発明における選挙情報収集システムの第一実施形態のシステム構成例を示す図である。
【図２】第一実施形態における移動通信端末装置の構成例を示す図である。
【図３】第一実施形態における調査用端末装置の構成例を示す図である。
【図４】第一実施形態における収集サーバの構成例を示す図である。
【図５】第一実施形態における選挙情報収集システムの動作例を示すフローチャートである。
【図６】本発明における選挙情報収集システムの第二実施形態のシステム構成例を示す図である。
【図７】第二実施形態における移動通信端末装置の構成例を示す図である。
【図８】第二実施形態における収集サーバの構成例を示す図である。
【図９】第二実施形態における選挙情報収集システムの動作例を示すフローチャートである。
【図１０】第二実施形態における選挙情報収集システムの動作例を示すフローチャートである。
【符号の説明】
【００８５】
１０ａ，１０ｂ…移動通信端末装置，  １１，１３…通信部，  １２，１４…記憶部，  １５…入力部，  １６…出力部，  １７…制御部，  ２０ａ…調査用端末装置，  ２１…第一通信部，  ２２…記憶部，  ２３…第二通信部，  ２４…入力部，  ２５…出力部，  ２６…制御部，  ３０ａ，３０ｂ…収集サーバ，  ３１，３３…通信部，  ３２，３４…記憶部，  ３５…制御部
【図１】
2009129274.tif 000003
【図２】
2009129274.tif 000004
【図３】
2009129274.tif 000005
【図４】
2009129274.tif 000006
【図５】
2009129274.tif 000007
【図６】
2009129274.tif 000008
【図７】
2009129274.tif 000009
【図８】
2009129274.tif 000010
【図９】
2009129274.tif 000011
【図１０】
2009129274.tif 000012